(57)【特許請求の範囲】
【請求項１】
被検体から磁気共鳴信号を収集する磁気共鳴イメージング装置であって、
シールドルームの中に設置された磁場発生装置と、
前記磁場発生装置に設けられ、所定の情報を表示する電子ペーパと、
前記シールドルームの外に設置され、前記電子ペーパを制御する制御装置と、
前記電子ペーパと前記制御装置とを接続するケーブルとを有し、
前記ケーブルは、信号線と、前記信号線を覆う内側シールドと、前記内側シールドの外側に位置する外側シールドとを有し、前記内側シールドおよび前記外側シールドによってダブルシールド構造を成しており、
前記内側シールドおよび前記外側シールドは、前記電子ペーパから延びており、前記外側シールドは、前記内側シールドよりも短い磁気共鳴イメージング装置。
【請求項２】
前記磁場発生装置は、前記被検体が収容される収容空間を有しており、
前記電子ペーパは、前記収容空間の内壁に取り付けられている、請求項１に記載の磁気共鳴イメージング装置。
【請求項３】
前記電子ペーパは、前記磁場発生装置の外面に取り付けられている、請求項１に記載の磁気共鳴イメージング装置。
【請求項４】
前記ケーブルは、前記内側シールドと前記外側シールドとの間に絶縁体を有している、請求項１〜３のいずれか一項に記載の磁気共鳴イメージング装置。
【請求項５】
前記ケーブルは、前記信号線に混入したノイズを除去するノイズ除去フィルタを有する、請求項１〜４のいずれか一項に記載の磁気共鳴イメージング装置。
【請求項６】
前記ノイズ除去フィルタは、コンデンサ、フェライト又はバランである、請求項５に記載の磁気共鳴イメージング装置。
【請求項７】
前記ノイズ除去フィルタはフェライトであり、前記フェライトは前記信号線又は前記内側シールドに取付けられている、請求項６に記載の磁気共鳴イメージング装置。
【請求項８】
前記電子ペーパは、電気泳動式である、請求項１〜７のいずれか一項に記載の磁気共鳴イメージング装置。
【請求項９】
前記制御装置は、前記電子ペーパに、スキャンの残り時間、撮影時の注意事項、被検体の好みに合った画像又は被検体の個人情報を表示させる請求項１〜８のいずれか一項に記載の磁気共鳴イメージング装置。
【発明の詳細な説明】
【技術分野】
【０００１】
本発明は、被検体から磁気共鳴信号を収集する磁気共鳴イメージング装置に関する。
【背景技術】
【０００２】
磁気共鳴イメージング装置で被検体を撮影する場合、被検体はボア内に搬送される。しかし、ボアは狭い空間であるので、被検体が閉所恐怖症の場合、被検体が撮影に耐えられなくなり、撮影を続けることができなくなることがある。また、オペレータが撮影中に被検体に対して必要な指示をする場合、一般的には、音声で指示を伝えるが、被検体が聴覚障害者の場合、音声での指示をすることはできない。上記のような問題点を解決する方法として、ボア内に液晶ディスプレイ（ＬＣＤ：Liquid
Crystal Display）を設置する方法が知られている（例えば、特許文献１参照）。
【先行技術文献】
【特許文献】
【０００３】
【特許文献１】特開2003-190112号公報
【発明の概要】
【発明が解決しようとする課題】
【０００４】
特許文献１の方法では、被検体が閉所恐怖症の場合は、被検体に安心感を与えるような映像をＬＣＤに表示させている。また、被検体が聴覚障害者の場合は、必要な指示をＬＣＤに表示させている。しかし、磁気共鳴イメージング装置のボアおよびその周辺には強磁場が発生しているので、ＬＣＤは、発生した強磁場の影響を受けて正常に動作することができず、実際には、被検体に必要な情報（例えば、映像、指示）を表示することは難しいという問題がある。したがって、磁気共鳴イメージング装置の強磁場に左右されずに、被検体に必要な情報を表示できるようにすることが望まれている。
【課題を解決するための手段】
【０００５】
課題を解決するための発明は、被検体から磁気共鳴信号を収集する磁気共鳴イメージング装置であって、
磁場発生装置と、
前記磁場発生装置に設けられ、所定の情報を表示する電子ペーパと、
を有する磁気共鳴イメージング装置である。
【発明の効果】
【０００６】
電子ペーパを使用することによって、被検体に情報を表示することが可能なる。
【図面の簡単な説明】
【０００７】
【図１】第１の実施形態の磁気共鳴イメージング装置の概略図である。
【図２】電子ペーパ５の説明図である。
【図３】シールドルーム１０１内に配置された磁場発生装置２およびテーブル３および４と、シールドルーム１０１の外に配置された制御装置７とを示す図である。
【図４】電子ペーパ５に表示される情報の例を示す図である。
【図５】実験結果の説明図である。
【図６】第２の実施形態のＭＲＩ装置２００の概略図である。
【図７】シールドルーム１０１に配置された磁場発生装置２およびテーブル３および４の側面図である。
【図８】電子ペーパ５に表示される情報の例を示す図である。
【図９】第３の実施形態のＭＲＩ装置におけるケーブル６の説明図である。
【図１０】フェライトを有するケーブルの一例を示す図である。
【図１１】フェライトを有するケーブルの別の例を示す図である。
【図１２】フェライトを有するケーブルの別の例を示す図である。
【発明を実施するための形態】
【０００８】
以下、発明を実施するための形態について説明するが、本発明は、以下の形態に限定されることはない。
【０００９】
（１）第１の実施形態
図１は、第１の実施形態の磁気共鳴イメージング装置の概略図である。
【００１０】
磁気共鳴イメージング（ＭＲＩ：Magnetic Resonance Imaging）装置１００は、シールドルーム１０１内に、磁場発生装置２、テーブル３および４などを有している。
【００１１】
磁場発生装置２は、被検体１１が収容されるトンネル型の収容空間２１を有している。磁場発生装置２の前側には、テーブル３が配置され、磁場発生装置２の後側には、テーブル４が配置されている。テーブル３は、被検体１１を載置するためのクレードル３１を有している。クレードル３１がｚ方向に移動することによって、被検体１１は収容空間２１内に搬入される。
【００１２】
また、磁場発生装置２の収容空間２１の内壁２２には、被検体１１に所定の情報（例えば、スキャンの残り時間、撮影時の注意事項、被検体１１の好みに合った画像）を表示する電子ペーパ５が取り付けられている。電子ペーパ５については、後に詳しく説明する。
【００１３】
ＭＲＩ装置１００は、シールドルーム１０１の外側に、電子ペーパ５を制御する制御装置７や、コンソール８などを備えている。電子ペーパ５と制御装置７は、ケーブル６によって接続されている。オペレータ１２は、コンソール８を操作することによって、撮影に必要な情報などを入力することができる。
次に、電子ペーパ５について、図２を参照しながら説明する。
【００１４】
図２は、電子ペーパ５の説明図である。
図２（ａ）は、磁場発生装置２を示す斜視図、図２（ｂ）は、図２（ａ）のラインＰ１の位置で収容空間２１の内壁２２を分断し、二次元の平面に展開して示した図である。
【００１５】
収容空間２１の内壁２２は、収容空間２１に搬入されたクレードル３１を支持するための支持面２２ａ（図２（ｂ）では、斜線で示されている）と、支持面２２ａに繋がる曲面２２ｂとを有している。
【００１６】
電子ペーパ５は、内壁２２の曲面２２ｂのほぼ全面を覆うように取り付けられている。電子ペーパ５の厚さは紙のように薄く、曲げて使用することができるので、内壁２２の曲面２２ｂに容易に取り付けることができる。
【００１７】
図３は、シールドルーム１０１内に配置された磁場発生装置２およびテーブル３および４と、シールドルーム１０１の外に配置された制御装置７とを示す図である。
【００１８】
尚、磁場発生装置２については、電子ペーパ５の位置を分かりやすくするため、ｙｚ面における断面が示されている。
【００１９】
磁場発生装置２は、超伝導コイル２３、勾配コイル２４、および送信コイル２５を内蔵している。超伝導コイル２３は静磁場を印加し、勾配コイル２４は勾配磁場を印加し、送信コイル２５はＲＦパルスを送信する。尚、超伝導コイル２３の代わりに、永久磁石を用いてもよい。
【００２０】
収容空間２１の内壁に取り付けられた電子ペーパ５は、ケーブル６によって、シールドルーム１０１の外に配置された制御装置７に接続されている。電子ペーパ５は、ケーブル６を通じて制御装置７から信号を受け取り、制御装置７から受け取った信号に応答して、被検体１１に所定の情報（例えば、スキャンの残り時間、撮影時の注意事項、被検体１１の好みに合った画像）を表示する。電子ペーパ５は収容空間２１の内壁２２に取り付けられているので、被検体１１は、収容空間２１の中で、電子ペーパ５に表示された情報を視覚的に容易に認識することができる。以下に、電子ペーパ５に表示される情報の例について説明する。
【００２１】
図４は、電子ペーパ５に表示される情報の例を示す図である。図４には、収容空間２１の前側から電子ペーパ５を見たときの様子が示されている。
【００２２】
図４（ａ）では、電子ペーパ５は花畑と青空を表示しており、更に、青空の中に、スキャンの残り時間Ｔを表示している。また、図４（ｂ）では、電子ペーパ５は森林を表示しており、更に、森林の中に、スキャンの残り時間Ｔを表示している。図４（ａ）および（ｂ）では、スキャンの残り時間Ｔは、Ｔ＝２分４５秒の例が示されている。
【００２３】
図４に示すように、花畑や森林を表示することによって、被検体が閉所恐怖症であっても、被検体１１が感じる不安感を低減することができる。また、スキャンの残り時間Ｔを表示するので、被検体１１が聴覚障害者であっても、スキャンの残り時間Ｔを視覚的に認識することができる。尚、電子ペーパ５に表示する情報は、図４に示す情報に限られない。例えば、息止めスキャンを実行する場合は、息止めのタイミング、息止めスキャンが終了するまでの残り時間などを表示してもよい。
【００２４】
また、電子ペーパ５は、液晶ディスプレイと比較して、情報の書き換え時に必要となる電力は微量であるので、ノイズもほとんど発生しない。したがって、被検体１１のスキャン中に情報を書き換えても、高品質なＭＲ画像を得ることができる。
【００２５】
尚、電子ペーパ５としては、電気泳動式の電子ペーパを用いることが好ましい。電気泳動式の電子ペーパは、強磁場中で使用しても、磁場の影響をほとんど受けないので、必要な情報を正しく表示することができる。電気泳動式の電子ペーパが、強磁場中でも必要な情報を正しく表示することができることを検証するため、電気泳動式の電子ペーパを用いて実験を行った。以下に、実験結果について説明する。
【００２６】
図５は、実験結果の説明図である。
実験では、電気泳動式の電子ペーパ５０を、ＭＲＩ装置の収容空間２１の内壁２２に取り付け、電子ペーパ５０に数字「７」を表示させた。図５を参照すると、電子ペーパ５０には、数字「７」がきれいに表示されており、電気泳動式の電子ペーパが、強磁場中でも必要な情報を正しく表示することができることがわかる。また、実質的に磁場の影響を受けないのであれば、電気泳動式とは別の方式の電子ペーパを用いてもよい。ただし、磁気ツイストボールや磁気感熱式などのデバイスを利用している電子ペーパは、磁場発生装置２の磁場の影響を受けて正常に動作しない可能性が高いので、使用しないことが望ましい。
【００２７】
尚、第１の実施形態では、被検体を収容する収容空間２１がトンネル型の場合について説明されているが、本発明は、収容空間がオープン型の場合であっても適用することができる。
【００２８】
（２）第２の実施形態
第１の実施形態では、電子ペーパ５が収容空間２１の内壁２２に取り付けられたＭＲＩ装置１００について説明されているが、第２の実施形態では、電子ペーパが磁場発生装置の外面に取り付けられたＭＲＩ装置について説明する。
【００２９】
図６は、第２の実施形態のＭＲＩ装置２００の概略図、図７は、シールドルーム１０１に配置された磁場発生装置２およびテーブル３および４の側面図である。
である。
【００３０】
第２の実施形態のＭＲＩ装置２００は、電子ペーパ５が磁場発生装置２の外面に取り付けられているが、その他の構成については、第１の実施形態のＭＲＩ装置１００と同じである。
【００３１】
図８は、電子ペーパ５に表示される情報の例を示す図である。
第２の実施形態では、電子ペーパ５は、被検体１１の個人情報（例えば、名前、生年月日、体重）を表示している。被検体１１の個人情報を表示することによって、被検体１１がシールドルーム１０１に入室したときに、被検体１１が自分自身で本人確認をすることができ、検査対象者の取り違えを未然に防止することができる。また、電子ペーパ５を磁場発生装置２の外面に取り付けることによって、オペレータ１２も、電子ペーパ５に表示された被検体１１の個人情報を容易に確認することができる。被検体１１の個人情報の中でも、被検体１１の体重は、ＳＡＲ（Specific Absorption rate）などの観点から非常に重要な情報であるので、オペレータ１２が、被検体１１の体重を容易に確認できることは、安全管理の面からも好ましい。更に、被検体１１が、例えば、小さな子供の場合は、電子ペーパ５に、被検体１１の好みに合った画像（アニメのキャラクターなど）を表示してもよい。被検体１１が小さな子供の場合は、電子ペーパ５に、被検体１１の好みに合った画像を表示させておくことによって、子供の不安感を軽減することができる。
【００３２】
（３）第３の実施形態
図３に示すように、ケーブル６は、送信コイル２５の近くに配設されている。したがって、送信コイル２５が送信するＲＦパルスが、高周波ノイズとなり、ケーブル６を介して制御装置７に到達する可能性がある。高周波ノイズが制御装置７に到達すると、制御装置７が故障する恐れがあるので、制御装置７は、高周波ノイズから保護されることが望ましい。そこで、第３の実施形態のＭＲＩ装置では、制御装置７を高周波ノイズから保護できるように、ケーブル６が構成されている。以下に、第３の実施形態のＭＲＩ装置におけるケーブル６について説明する。尚、第３の実施形態のＭＲＩ装置は、ケーブル以外は、第１の実施形態のＭＲＩ装置１００と同じである。したがって、第３の実施形態の説明に当たっては、主に、ケーブルについて説明する。
【００３３】
図９は、第３の実施形態のＭＲＩ装置におけるケーブル６の説明図である。
ケーブル６は、ｎ本の信号線Ｓ１〜Ｓｎ、内側シールド６１、外側シールド６２、絶縁体６３、およびコンデンサＣを有している。
【００３４】
内側シールド６１は、電子ペーパ５の位置から制御装置７の近くの位置まで、信号線Ｓ１〜Ｓｎを覆うように設けられている。外側シールド６２は、内側シールド６１よりも短く、電子ペーパ５側に設けられている。内側シールド６１と外側シールド６２との間には、絶縁体６３が設けられている。コンデンサＣは、内側シールド６１と各信号線Ｓ１〜Ｓｎとの間に設けられている。
【００３５】
第３の実施形態のケーブル６は、内側シールド６１によるシングルシールド構造だけでなく、内側シールド６１および外側シールド６２によるダブルシールド構造を有している。したがって、ＲＦパルスによる高周波ノイズの大部分はシールドされ、信号線Ｓ１〜Ｓｎに混入することが防止される。尚、内側シールド６１および外側シールド６２の長さは、図９に示されている長さに限定されることはなく、必要に応じて、適宜変更してもよい。例えば、外側シールド６２の長さを、内側シールド６１と同じ長さにしてもよい。
【００３６】
また、ケーブル６はコンデンサＣを有しているので、高周波ノイズが信号線Ｓ１〜Ｓｎに混入しても、信号線Ｓ１〜Ｓｎに混入した高周波ノイズの大部分はコンデンサＣで除去することができる。このため、高周波ノイズが信号線Ｓ１〜Ｓｎに混入しても、信号線Ｓ１〜Ｓｎに混入した高周波ノイズの大部分は、制御装置７に到達する前に除去することができ、制御装置７が高周波ノイズによって故障することを防止できる。
【００３７】
また、ケーブル６は、フェライトを備えてもよい（図１０参照）。
図１０は、フェライトを有するケーブルの一例を示す図である。
【００３８】
図１０に示すケーブル６は、ｎ本の信号線Ｓ１〜Ｓｎ、内側シールド６１、外側シールド６２、絶縁体６３、およびコンデンサＣの他に、フェライトＦを有している。フェライトＦは、内側シールド６１に取り付けられている。フェライトＦを備えることによって、信号線Ｓ１〜Ｓｎに混入した高周波ノイズを更に除去することが可能となる。
【００３９】
尚、図１０では、フェライトＦは、内側シールド６１に取り付けられているが、信号線Ｓ１〜Ｓｎに取り付けてもよいし（図１１参照）、内側シールド６１と信号線Ｓ１〜Ｓｎとの両方に取り付けてもよい（図１２参照）。
【００４０】
また、第３の実施形態では、信号線Ｓ１〜Ｓｎに混入したノイズを除去するノイズ除去フィルタとして、コンデンサＣ（図９参照）、又はコンデンサＣおよびフェライトＦ（図１０〜図１２）が示されている。しかし、コンデンサＣやフェライトＦとは別の部品（例えば、バラン）を、ノイズ除去フィルタとして使用してもよい。
【符号の説明】
【００４１】
２  磁場発生装置
３、４  テーブル
５  電子ペーパ
６  ケーブル
７  制御装置
８  コンソール
１１  被検体
２１  収容空間
２２  内壁
２２ａ  支持面
２２ｂ  曲面
２３  超伝導コイル
２４  勾配コイル
２５  送信コイル
３１  クレードル
１００、２００  ＭＲＩ装置
１０１  シールドルーム
【図１】
0005660814.tif 000002
【図２】
0005660814.tif 000003
【図３】
0005660814.tif 000004
【図６】
0005660814.tif 000005
【図７】
0005660814.tif 000006
【図８】
0005660814.tif 000007
【図９】
0005660814.tif 000008
【図１０】
0005660814.tif 000009
【図１１】
0005660814.tif 000010
【図１２】
0005660814.tif 000011
【図４】
0005660814.tif 000012
【図５】
0005660814.tif 000013